(57)【要約】【課題】  軽量で、植物の生育が良く、且つ、植物がしっかりと根付いて保持され、用土が飛散しない園芸用の積層構造及び積層体を提供することを目的とする。【解決手段】  最上層に繊維状に解繊された古紙を材料に形成した解繊古紙層１を配置し、この解繊古紙層１の下部に土及び肥料を含む客土層２を設け、この客土層２の下部に発泡樹脂で形成した発泡樹脂層３を設け、この発泡樹脂層３には、たくさんの小さな穿孔を穿設して園芸用の積層構造を構成する。また、矩形の箱体内に前記園芸用の積層構造を形成して園芸用の積層体を構成する。【選択図】      図１
2005333807.tif 000002
【特許請求の範囲】
【請求項１】
最上層に繊維状に解繊された古紙を材料に形成した解繊古紙層を配置し、該解繊古紙層の下部に土及び肥料を含む客土層を設け、該客土層の下部に発泡樹脂で形成した発泡樹脂層を設け、該発泡樹脂層には、たくさんの穿孔を穿設してあることを特徴とする園芸用の積層構造。
【請求項２】
最上層に繊維状に解繊された古紙を材料に形成した解繊古紙層を配置し、該解繊古紙層の下部に土及び肥料を含む客土層を設け、該客土層の下部に発泡樹脂で形成した発泡樹脂層を設け、該発泡樹脂層の下部に根部保持層を設け、前記発泡樹脂層には、たくさんの穿孔を穿設してあるたことを特徴とする園芸用の積層構造。
【請求項３】
最上層に繊維状に解繊された古紙とやしがらを混合した混合層を配置し、該混合層の下部に土及び肥料を含む客土層を設け、該客土層の下部に発泡樹脂で形成した発泡樹脂層を設け、該発泡樹脂層の下部に根部保持層を設け、前記発泡樹脂層には、たくさんの穿孔を穿設してあるたことを特徴とする園芸用の積層構造。
【請求項４】
矩形の箱体内に最上層に繊維状に解繊された古紙を材料に形成した解繊古紙層を配置し、該解繊古紙層の下部に土及び肥料を含む客土層を設け、該客土層の下部に発泡樹脂で形成した発泡樹脂層を設け、該発泡樹脂層には、たくさんの穿孔を穿設してあることを特徴とする園芸用の積層構造を形成して成る園芸用の積層体。
【請求項５】
矩形の箱体内に最上層に繊維状に解繊された古紙を材料に形成した解繊古紙層を配置し、該解繊古紙層の下部に土及び肥料を含む客土層を設け、該客土層の下部に発泡樹脂で形成した発泡樹脂層を設け、該発泡樹脂層の下部に根部保持層を設け、前記発泡樹脂層には、たくさんの穿孔を穿設してあるたことを特徴とする園芸用の積層構造を形成して成る園芸用の積層体。
【請求項６】
矩形の箱体内に最上層に繊維状に解繊された古紙とやしがらを混合した混合層を配置し、該混合層の下部に土及び肥料を含む客土層を設け、該客土層の下部に発泡樹脂で形成した発泡樹脂層を設け、該発泡樹脂層の下部に根部保持層を設け、前記発泡樹脂層には、たくさんの穿孔を穿設してあるたことを特徴とする園芸用の積層構造を形成して成る園芸用の積層体。
【請求項７】
根部保持層は、やしがらで形成してある請求項２又は請求項３に記載の園芸用の積層構造。
【請求項８】
根部保持層は、繊維状に解繊された古紙で形成してある請求項２又は請求項３に記載の園芸用の積層構造。
【請求項９】
根部保持層は、やしがら、粒状若しくは欠片状の発泡樹脂及び蛭石等を混合して形成してある請求項２又は請求項３に記載の園芸用の積層構造。
【請求項１０】
根部保持層は、やしがらで形成してある請求項５又は請求項６に記載の園芸用の積層体。
【請求項１１】
根部保持層は、繊維状に解繊された古紙で形成してある請求項５又は請求項６に記載の園芸用の積層体。
【請求項１２】
根部保持層は、根部保持層は、やしがら、粒状若しくは欠片状の発泡樹脂及び蛭石等を混合して形成してある請求項５又は請求項６に記載の園芸用の積層体。
【発明の詳細な説明】
【技術分野】
【０００１】
本発明は、園芸用の積層構造及び積層体に関し、特に、屋上緑化に際し、用土に代わり得る軽量な積層構造及び積層体に係る。
【背景技術】
【０００２】
建造物の屋上に草木を生育させ、いわゆる屋上緑化を進め大気汚染やヒートアイランド現象を抑制したり、屋上に花木や草花などを育てたりして園芸を楽しむことが多くなっている。そうした場合、問題になるのは屋上に敷設する客土や畑土の総重量が多大になり、建造物の耐久力を超えてしまうのではないかが懸念される点である。
【０００３】
こうした点に鑑み、従来から、発泡スチロールを利用した屋上緑化装置が提案されている。
（例えば、特許文献1参照）
【特許文献１】特開２００４−１２９５６７号
【発明の開示】
【発明が解決しようとする課題】
【０００４】
しかしながら、前記特許文献1に開示された屋上緑化装置における発泡スチロールは屋上に敷設する客土や畑土のような用土の一部を成すものではなく、単なる嵩上げ材の一部を成すものであった。
また、園芸用土の中に粒状の発泡スチロールを混ぜ込んで水捌けを向上させるものが知られているが、この用土に含まれる発泡スチロールは植物の保持又は補強にはなんら寄与しない。
【０００５】
本発明は軽量で、植物の生育が良く、且つ、植物がしっかりと根付いて保持され、用土が飛散しない園芸用の積層構造及び積層体を提供することを目的とする。
【課題を解決するための手段】
【０００６】
上記の課題を解決するために本発明では、以下のような構成を採用した。
すなわち、本発明の園芸用の積層構造は最上層に繊維状に解繊された古紙を材料に形成した解繊古紙層を配置し、該解繊古紙層の下部に土及び肥料を含む客土層を設け、該客土層の下部に発泡樹脂で形成した発泡樹脂層を設け、該発泡樹脂層には、たくさんの穿孔を穿設して構成する。その結果、少ない客土で植物を育てることができ、植物の根を発泡樹脂層の穿孔に誘導して根付かせることがき、構造全体を軽量化でき発泡樹脂層に水を浸透させることも可能になる。
【０００７】
また、本発明の園芸用の積層構造は前記発泡樹脂層の下部に根部保持層を設けて構成する。その結果、植物の根の張り方を強固にさせることが可能になる。
また、本発明の園芸用の積層体は矩形の箱体内に前記園芸用の積層構造を形成して構成する。その結果、園芸店などで個別に販売できる園芸用の積層体が得られる。そして、前記根部保持層の材料として、やしがら、繊維状に解繊された古紙或いはやしがらと粒状若しくは欠片状の発泡樹脂及び蛭石（バーミキュライト）等を混合したものを用いて本発明を構成する。その結果、安価な材料でありながらみずごけ等と同様に水分を保たせ、且つ、植物の根部をしっかりと保持させることが可能になる。
【発明の効果】
【０００８】
本発明によれば、前記解繊古紙層により前記客土層内の水分の蒸発を防ぎ、前記客土層内の保水力を高めることができると共に前記解繊古紙層に前記客土層の蓋の役割を果たさせることができ、客土の飛散を防止することも可能になる。また、発泡樹脂層の採用により構造全体を軽量化でき、発泡樹脂層の穿孔に植物の根を誘導して根付かせることができ、且つ、発泡樹脂層に水を浸透させることも可能になる。
【０００９】
また、前記根部保持層を設けた場合には、植物の根部をしっかりと保持させることが可能になる。
【発明を実施するための最良の形態】
【００１０】
以下、図面を参照しながら、本発明の実施の形態を説明する。
＜第１の実施形態＞
図１は、本発明の実施の形態である園芸用の積層構造を示す一部断面図である。図２は発泡樹脂層の概略断面図と平面図とを対比させて示した図である。
【００１１】
両図を参照して、最上層には繊維状に解繊された古紙を材料に形成した解繊古紙層１を配置してある。なお、この解繊古紙層１にはやしがら（ココナツ椰子の繊維）を混合してもよい。前記解繊古紙層１の下部には土、軽石及び肥料を含む客土層２を設け、この客土層２の下部に、例えば、発泡スチロールなどの発泡樹脂で形成した発泡樹脂層３を設けてある。そして、最下層、即ち、屋上床部４の上部にはやしがら、ピートモス或いは、みずごけなどで形成した根部保持層５を配置してある。
【００１２】
ところで、板状の発泡スチロールの上に用土を敷設し、そこへ高麗芝を植えて生育させてみると高麗芝の根は前記板状の発泡スチロールを突き破って外部に延び出して来るのが見受けられる。この事実にヒントを得て、前記発泡樹脂層３には、大、中、小のたくさん穿孔を穿設してあり、この穿孔に植物６の根７の誘導と水の浸透の役を担わせている。なお、前記繊維状に解繊された古紙として緑色に染めたものを用いると全体が草地風に見えて好ましい。また、前記根部保持層５を省いて本発明を構成することもできる。さらに、前記園芸用の積層構造を、矩形の（例えば、約５０ｃｍ四方の発泡スチロールの）箱体（好ましくは、水抜き孔を設ける）に形成し、園芸用の積層体として園芸店で販売可能な形態とすることができる。なお、前記根部保持層５は前記やしがら等に代え、繊維状に解繊された古紙で形成したり、やしがらや粒状若しくは欠片状の発泡樹脂及び蛭石等を混合したもので形成することもできる。
【００１３】
以上の如く構成された園芸用の積層構造又は園芸用の積層体の前記客土層２に植物の種子を播いたり、球根や幼苗を植え込んだりすると、やがてそれらの植物は前記発泡樹脂層３の方へ根を延ばして行き、根の先端部に生ずる根毛は前記発泡樹脂層３に穿設された穿孔に入り込んで行き、さらに根は前記発泡樹脂層３を貫通して前記根部保持層５の、例えば、やしがらに絡みつくように延び出て行く。前記解繊古紙層１は保水力があり、この解繊古紙層１の上部から潅水すると、一部は解繊古紙層１に吸収され、解繊古紙層１で吸収し切れなくなった水は前記客土層２、前記発泡樹脂層３に穿設された穿孔を通って前記根部保持層５に到達する。水が前記客土層２を通過する際、肥料成分を融かして下方へ落下して来るので、植物は前記発泡樹脂層３及び前記根部保持層５にある根から養分を吸収することができる。
【００１４】
前述のように前記解繊古紙層１は保水力があるため、前記客土層２が外気に露出している場合に比べ前記客土層２内の水分の蒸発を防ぎ、前記客土層２内の保水力を高めることができる。また、植物の性質に合わせて、前記解繊古紙層１の厚みを適切に選択すれば、前記客土層２内の保水力の程度を調整することが可能である。そして、前記解繊古紙層１は前記客土層２の蓋の役割も果たすので、前記客土層２内の客土の飛散を防止する。前記解繊古紙層１内の水分が蒸発すると、前記解繊古紙層１は漆喰のような感じの存在物になり、やはり、前記客土層２の蓋の役割を果たす。
【００１５】
本発明に係る園芸用の積層構造及び園芸用の積層体は壁面緑化（地面に対し垂直に設置される塀などの壁面に植物を生育させる）に応用することもできる。なお、前記客土層２の軽石は省く場合もあり、或いは、バーミキュライトや他の土壌改良材を用いることも可能である。
【図面の簡単な説明】
【００１６】
【図１】本発明の実施の形態である園芸用の積層構造を示す一部断面図である。
【図２】発泡樹脂層の概略断面図と平面図とを対比させて示した図である。
【符号の説明】
【００１７】
１  解繊古紙層
２  客土層
３  発泡樹脂層
４  屋上床部
５  根部保持層
６  植物
７  根
【図１】
2005333807.tif 000003
【図２】
2005333807.tif 000004